(57)【要約】【課題】汎用性に優れ、かつ、簡易な構造で撮影レンズ前のカバーガラスの結露を防止することができ、また、ＣＣＤ、電気素子等本体内部の重要な部品の結露を防止することができる防水型の撮像装置を提供する。【解決手段】防水機能を有する撮像装置において、電池室４４に隣接して乾燥剤収容スペース４７を設け、乾燥剤収容スペース４７を防水構造の電池蓋１１で被覆する構造を有する。【選択図】図４
2007156267.tif 000002
【特許請求の範囲】
【請求項１】
ボディ内に電池室を備えた撮像装置において、前記電池室に隣接して乾燥剤収容スペースを設け、乾燥剤収容スペースを防水構造の電池蓋により防水状態としたことを特徴とする撮像装置。
【請求項２】
ボディ底面に乾燥剤収納スペースを設け、乾燥剤収容スペースを防水構造の蓋により防水状態としたことを特徴とする撮像装置。
【請求項３】
ボディ内に配置した外部出力端子に隣接して乾燥剤収容スペースを設け、乾燥剤収容スペースを防水構造の端子蓋により防水状態としたことを特徴とする撮像装置。
【請求項４】
前記乾燥剤収容スペースと、ＣＣＤを収容した空間と、作動時に発熱を伴う電気素子を収容した空間と、カバーガラスの内側の空間とが、空気の流動が可能なように繋がっていることを特徴とする請求項１乃至３のいずれか一項に記載の撮像装置。
【発明の詳細な説明】
【技術分野】
【０００１】
本発明は、防水機能を有する撮像装置（電子カメラ）に関する。
【背景技術】
【０００２】
防水機能を有する撮像装置に関連して、例えば特許文献１には、外壁の一部に設けられた開口部を多孔質膜もしくは天然コルクで密閉した防水カメラケース及びフィルム一体型防水カメラにおいて、多孔質膜より侵入した水蒸気が内部で結露して撮影できなくなることを防ぐことを第１の目的とし、日焼け止め乳液等で防水カメラケースが白濁することを防ぐことを第２の目的として、防水カメラケース及びフィルム一体型防水カメラ内部に塩化カリウムの吸湿材を配設し、少なくとも外観部材がＡＳ樹脂により形成されている構成が提案されている。
また、特許文献２には、汎用性に優れ、かつ、簡易な構造で防曇することができる防水型カメラをローコストで提供することを目的として以下の技術が開示されている。即ち、この防水型レンズ付きフイルムユニットは、レンズ付きフイルムユニットと、これを収納する防水ケースとからなる。防止ケースの前面には、撮影レンズ及びファインダを露呈する露呈部が設けられている。防水ケースの両側面には、前記露呈部よりも肉厚の薄い薄肉部が形成されている。このため、水中などに持ち込まれ、防水ケースの周辺の温度が急激に下降した場合、薄肉部の内壁の温度が他の部分よりも先に下降する。これにより、防水ケース内部の空気中の湿気は、薄肉部に集中して結露する。このため、湿気が減少して、前記露呈部が結露しにくくなる。また、前記露呈部の内壁に結露が生じないように、前記内壁と接する空気の湿気を除去する防湿手段を設けている。
【特許文献１】特開平７−１０４３６７号公報
【特許文献２】特開２０００−１９４０４８公報
【発明の開示】
【発明が解決しようとする課題】
【０００３】
上記特許文献１記載の技術の場合には、防水カメラケース内部で結露して撮影ができなくなるのを防止するために、防水カメラケース内部に吸湿材を入れているが、この吸湿材を交換するためには防水カメラケース自体を開けなければならず、交換に手間が掛かる欠点がある。また、交換の際に防水カメラケース内の除湿された空気の大部分が放出されてしまう欠点もある。
また、上記特許文献２記載の技術の場合には、防水ケースの中に湿気を吸収する吸湿材を入れているが、この吸湿材を交換することはできない。
撮影レンズの前を覆う窓は、傷が付きにくく平面度等の精度の出しやすいガラス製であることが望ましい。しかし、デジタルカメラの内部には、作動時に熱を発生するＣＣＤや回路素子があるためカメラ内部は温度が高くなる。カメラの内部の温度が上がってカメラの外部の温度が低い状態になると、撮影レンズの前に設けられているガラス製の窓（カバーガラス）は熱伝導率が高いため、カメラの回りの温度に影響されて温度が下がって内側に結露が生じ、曇ってしまうことがある。内側に結露を起こした場合には、簡単に拭き取ることができず、撮影ができなくなってしまうという問題が生じる。
本発明は、上述した欠点を解決し、汎用性に優れ、かつ、簡易な構造で撮影レンズ前のカバーガラスの結露を防止することができ、また、ＣＣＤ、電気素子等本体内部の重要な部品の結露を防止することができる防水型の撮像装置を提供することを目的とする。
【課題を解決するための手段】
【０００４】
上記目的を達成するために、請求項１記載の発明は、ボディ内に電池室を備えた撮像装置において、前記電池室に隣接して乾燥剤収容スペースを設け、乾燥剤収容スペースを防水構造の電池蓋により防水状態としたことを特徴とする。
請求項２の発明は、ボディ底面に乾燥剤収納スペースを設け、乾燥剤収容スペースを防水構造の蓋により防水状態としたことを特徴とする。
請求項３の発明は、ボディ内に配置した外部出力端子に隣接して乾燥剤収容スペースを設け、乾燥剤収容スペースを防水構造の端子蓋により防水状態としたことを特徴とする。
請求項４の発明は、請求項１乃至３のいずれか一項において、前記乾燥剤収容スペースと、ＣＣＤを収容した空間と、作動時に発熱を伴う電気素子を収容した空間と、カバーガラスの内側の空間とが、空気の流動が可能なように繋がっていることを特徴とする。
【発明の効果】
【０００５】
請求項１の撮像装置は、電池室に隣接して乾燥剤収容スペースを設け、乾燥剤収容スペースを防水構造の電池蓋で被覆する構造を有するので、電池蓋を開ければ、電池と同様に簡単に乾燥剤を交換可能である。乾燥剤が本体内部の湿気を吸収するので、撮影レンズ前のカバーガラスの結露を防止することができる。
請求項２の撮像装置は、本体底面に乾燥剤収納スペースを設け、乾燥剤収容スペースを防水構造の蓋で被覆する構造を有するので、蓋を開ければ簡単に乾燥剤の交換が可能である。乾燥剤が本体内部の湿気を吸収するので、撮影レンズ前のカバーガラスの結露を防止することができる。
請求項３の撮像装置は、外部出力端子に隣接して乾燥剤収容スペースを設け、乾燥剤収容スペースを防水構造の端子蓋で被覆する構造を有するので、端子蓋を開ければ、簡単に乾燥剤の交換が可能である。乾燥剤が本体内部の湿気を吸収するので、撮影レンズ前のカバーガラスの結露を防止することができる。
請求項４の撮像装置は、乾燥剤収容スペースが、ＣＣＤがある空間と、作動時に発熱を伴う電気素子がある空間と、カバーガラスの内側の空間とが、空気の流動が可能なように空間的に繋がっているので、撮影レンズ前のカバーガラスの結露を防止することができるだけではなく、ＣＣＤ、電気素子等本体内部の重要な部品の結露をも防止することができる。
【発明を実施するための最良の形態】
【０００６】
以下、本発明の実施形態を図面に従って説明する。
図１は本発明の実施形態に係るデジタルカメラの前方斜視図、図２は同じく後方斜視図を示す。
デジタルカメラ本体（カメラボディ）１は、正面から見て左側が弾性部材で作られた右手グリップ部２であり、その後方には、メモリカード４１を装着可能なカードスロット部４２と、電池４３を装着可能な電池室４４（いずれも図４に示す）を被う電池蓋１１が設けられている。
デジタルカメラ本体１の正面にはズーム撮影レンズ３が取り付けられており、その上方にはユーザが撮影範囲等を目視で確認するための光学ファインダ５、低照度での撮影等の場合に補助光を発するためのストロボ６が設けられている。上面には、カメラの各種モードを選択する回転型モードダイヤル７が設けられ、その中央にはカメラの電源をＯＮ／ＯＦＦする電源スイッチ８がある。
デジタルカメラ本体１の上面にあって回転型モードダイヤル７の近傍には、シャッタボタン９、外部ストロボを取り付けるアクセサリーシュー１０が設けられている。
また、正面から見て右側が弾性部材で作られた左手グリップ部１２で、その後方には外部出力端子５１（図５に示す）を被う端子蓋１３が設けられ、後面には、撮影画像を表示したり、撮影モードを表示したりする画像表示装置（ＬＣＤモニタ）２１、ファインダ接眼部２２、ファインダＬＥＤ窓２３、ズームボタン２４、複数のモードスイッチ２５が設けられている。また、デジタルカメラ本体１は、防水用のＯリング等を用いて防水機能を持っている。
【０００７】
図３は本発明の実施形態に係るデジタルカメラのズーム撮影レンズの光軸に沿う縦断面の概略図である。上部には光学ファインダ５が、後面には液晶からなる画像表示装置２１が設けられている。
ズーム撮影レンズ３を通過した被写体からの光は、ＣＣＤ３０に到達して、撮像されて電気信号とされ、ＣＣＤ駆動ＩＣ等が搭載された第１回路基板３１に伝達されて回路処理が行われて画像信号となる。ＣＣＤ３０は消費電力が大きく発熱量が大きい。第２回路基板３２には、デジタルカメラの電源であるＤＣＤＣの回路素子３３が搭載されているが発熱量が大きい。ズーム撮影レンズ３の前面にはその保護と、防水機能のためにカバーガラス３４が設けられている。
図４は電池蓋部の断面図である。前記のようにメモリカード４１と電池４３が装着され、電池蓋１１とカメラ外観カバー４５との間には、Ｏリング４６が挟まれて防水構造となっている。電池室４４の前方には、乾燥剤を入れるスペース４７が設けられており、そこに乾燥剤４８を入れることができる。乾燥剤４８は、軸１１ａを中心として開閉する電池蓋１１を開ければ電池４３と同様に簡単に交換が可能である。乾燥剤４８を入れるスペース４７には、孔４９が空けられていて、デジタルカメラ本体１内部の空気が流動可能である。
【０００８】
図５は端子蓋部の断面図である。外部出力端子５１は軸１３ａを中心として開閉する端子蓋１３が覆っているが、電池蓋１１と同様に、Ｏリング４６により防水構造となっている。外部出力端子５１の前方には、乾燥剤４８を入れるスペース５２が設けられており、そこに乾燥剤４８を入れることができる。乾燥剤４８は、端子蓋１３を開ければ簡単に交換が可能である。乾燥剤４８を入れるスペース５２には、孔５３が空けられていて、デジタルカメラ本体１内部の空気が流動可能である。
図６はデジタルカメラ本体底面の乾燥剤を入れる蓋部の断面図である。この蓋６１も同様にＯリング４６により防水構造となっている。蓋６１の内側が乾燥剤４８を入れるスペース６２となっていて、そこに乾燥剤４８を入れることができる。内蓋６３があるが、これは蓋６１の内側嵌合部に嵌め込んでいるだけであり、簡単に乾燥剤４８を交換することが可能である。乾燥剤４８を入れるスペース６２の内蓋６３には、孔６４が空けられていて、デジタルカメラ本体１内部の空気が流動可能である。
なお、乾燥剤収容スペース４７と、ＣＣＤ３０を収容した空間と、作動時に発熱を伴う電気素子を収容した空間と、カバーガラス３４の内側の空間とが、空気の流動が可能なように繋がっている。従って、撮影レンズ前のカバーガラスの結露を防止することができるだけではなく、ＣＣＤ、電気素子等本体内部の重要な部品の結露をも防止することができる。
【図面の簡単な説明】
【０００９】
【図１】本発明の実施形態に係るデジタルカメラの前方斜視図である。
【図２】本発明の実施形態に係るデジタルカメラの後方斜視図である。
【図３】本発明の実施形態に係るデジタルカメラのズーム撮影レンズの光軸に沿う縦断面の概略図である。
【図４】本発明の実施形態に係るデジタルカメラの電池蓋部の断面図である。
【図５】本発明の実施形態に係るデジタルカメラの端子蓋部の断面図である。
【図６】本発明の実施形態に係るデジタルカメラ底面の乾燥剤を入れる蓋部の断面図である。
【符号の説明】
【００１０】
１  デジタルカメラ本体（本体）、１１  電池蓋、４４  電池室、４７  スペース（乾燥剤収容スペース）、４８  乾燥剤
【図１】
2007156267.tif 000003
【図２】
2007156267.tif 000004
【図３】
2007156267.tif 000005
【図４】
2007156267.tif 000006
【図５】
2007156267.tif 000007
【図６】
2007156267.tif 000008